【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
複数の表示領域にそれぞれ対応する複数の光源ブロックを有し、ディミング制御信号に基づき複数の光源ブロックの出力輝度を調節する光源部と、
前記表示領域のそれぞれの平均階調と固有輝度とを決め、前記固有輝度を用いてある表示領域の臨界階調を算出し、全階調を前記臨界階調を境界とした第１の階調区間と第２の階調区間とに分けて、前記ある表示領域の平均階調が前記第１の階調区間に位置する場合に値が一定な輝度を前記ディミング制御信号として出力し、前記平均階調が前記第２の階調区間に位置する場合には固有輝度値に応じて変わる輝度を前記ディミング制御信号として出力するディミング制御部と、
を備えることを特徴とする光源モジュール。
【請求項２】
前記値が一定な輝度は、前記光源ブロックが発光可能な最大輝度であり、前記固有輝度値に応じて値が変わる輝度は、前記最大輝度以下の輝度範囲内において選ばれる値の輝度であることを特徴とする請求項１に記載の光源モジュール。
【請求項３】
前記平均階調が前記臨界階調である場合に、最大輝度を前記ディミング制御信号として出力することを特徴とする請求項１に記載の光源モジュール。
【請求項４】
前記第１の階調区間の階調値が前記臨界階調よりも大きく、前記第２の階調区間の階調値が前記臨界階調よりも小さいことを特徴とする請求項１に記載の光源モジュール。
【請求項５】
前記ディミング制御部は、
前記複数の表示領域にそれぞれ与えられる画像信号を用いて、前記表示領域のそれぞれの前記平均階調と前記固有輝度とを生成する固有輝度生成部と、
前記隣り合う表示領域の固有輝度と点広がり関数フィルタとを用いて干渉輝度を生成する干渉輝度生成部と、
前記干渉輝度値を用いて前記臨界階調を決める臨界階調決定部と、
前記臨界階調と前記平均階調とに応じて、前記最大輝度値または前記最大輝度値よりも低い輝度値のうちいずれか一方の輝度値を前記ディミング制御信号として出力するディミング制御信号出力部と、
を備えることを特徴とする請求項１に記載の光源モジュール。
【請求項６】
前記臨界階調は、各階調に対応する輝度値のうち前記干渉輝度値が加えられて最大輝度値となる輝度値に相当する階調であることを特徴とする請求項５に記載の光源モジュール。
【請求項７】
前記固有輝度生成部は、
前記画像信号を用いて前記平均階調を計算する平均階調計算部と、
前記平均階調に相当する輝度値を固有輝度値として抽出する固有輝度抽出部と、
を備えることを特徴とする請求項５に記載の光源モジュール。
【請求項８】
前記固有輝度抽出部は、少なくとも一つの階調を含む複数の固有階調群と、
前記固有階調群のそれぞれに対応する複数の輝度値が記憶されている固有ルックアップテーブルと、
を備えることを特徴とする請求項７に記載の光源モジュール。
【請求項９】
前記臨界階調以下の階調値のうち少なくとも一つの階調を含む複数の前記可変階調群のそれぞれに対応する複数の可変輝度値が記憶されている可変ルックアップテーブルと、
前記可変ルックアップテーブルを用いて前記平均階調に相当する輝度値を調整された固有輝度値として抽出する固有輝度可変部をさらに有し、
前記可変階調群内の階調数が前記固有階調群内の階調数よりも小さいことを特徴とする請求項８に記載の光源モジュール。
【請求項１０】
前記可変ルックアップテーブルの最大可変輝度値は、干渉輝度値であることを特徴とする請求項９に記載の光源モジュール。
【請求項１１】
前記ディミング制御信号出力部は、前記平均階調が前記臨界階調よりも小さな場合に前記調整された固有輝度値と前記干渉輝度値とを加算した輝度値を前記ディミング制御信号として出力し、前記平均階調が前記臨界階調よりも大きいか等しい場合には前記最大輝度値を前記ディミング制御信号として出力することを特徴とする請求項９に記載の光源モジュール。
【請求項１２】
前記点広がり関数フィルタは、複数の重み付け値を有する行列状を呈し、行列の中心の値が０.１〜１を有し、その周りの値がガウス関数状に減少することを特徴とする請求項５に記載の光源モジュール。
【請求項１３】
前記干渉輝度値は、前記点広がり関数フィルタの中心が前記ある表示領域に対応するようにし、前記行列の中心値を除く残りの重み付け値と前記隣り合う表示領域の固有輝度値とをそれぞれ乗算した後、これらの乗算の結果を加算したものであることを特徴とする請求項１２に記載の光源モジュール。
【請求項１４】
前記ディミング制御信号出力部は、前記平均階調が前記臨界階調よりも小さな場合に前記固有輝度値と前記干渉輝度値とを加算した輝度値を前記ディミング制御信号として出力し、前記平均階調が前記臨界階調よりも大きいか等しい場合には前記最大輝度値を前記ディミング制御信号として出力することを特徴とする請求項５に記載の光源モジュール。
【請求項１５】
前記干渉輝度値を用いて干渉階調を生成する干渉階調抽出部をさらに備えることを特徴とする請求項５に記載の光源モジュール。
【請求項１６】
前記ディミング制御信号出力部は、前記平均階調が前記臨界階調よりも大きいか等しい場合に前記最大輝度値を前記ディミング制御信号として出力し、前記平均階調が前記臨界階調よりも小さく、且つ、前記干渉階調よりも大きいか等しい場合に前記固有輝度値と前記干渉輝度値とを加算した輝度値を前記ディミング制御信号として出力し、前記平均階調が前記干渉階調よりも小さな場合には前記固有輝度または最小輝度のうちいずれか一方の輝度値を前記ディミング制御信号として出力することを特徴とする請求項１５に記載の光源モジュール。
【請求項１７】
複数の光源ブロックのそれぞれに対応する表示領域に与えられる画像信号を用いて各表示領域別の平均階調を計算し、
前記平均階調を用いて前記表示領域のそれぞれの固有輝度を算出し、
ある表示領域と隣り合う表示領域の固有輝度に応じて臨界階調を決め、
前記臨界階調を境界として全階調を第１の階調区間と第２の階調区間とに分け、前記平均階調が前記第１の階調区間内に位置する場合には、前記固有輝度に応じて値が変わる輝度で前記ある表示領域に対応する前記光源ブロックを発光させるか、あるいは、前記第２の階調区間内に位置する場合は、最大輝度で前記光源ブロックを発光させること、
を含むことを特徴とする光源モジュールの駆動方法。
【請求項１８】
前記臨界階調を決めることは、
前記隣り合う表示領域の固有輝度と点広がり関数フィルタとを用いて前記ある表示領域の干渉輝度を計算し、
前記干渉輝度を加えると最大輝度値を有する輝度値に相当する階調を前記臨界階調として決めること、
を含むことを特徴とする請求項１７に記載の光源モジュールの駆動方法。
【請求項１９】
前記固有輝度に応じて値が変わる輝度は、前記干渉輝度に前記固有輝度が加えられた輝度であることを特徴とする請求項１８に記載の光源モジュールの駆動方法。
【請求項２０】
前記臨界階調を決めた後に、
前記干渉輝度値を用いて干渉階調を生成することをさらに含み、
前記発光ブロックを発光させることは、
前記平均階調が前記第１の階調区間に位置し、且つ、前記平均階調が前記干渉階調よりも小さな場合には前記固有輝度または最小輝度で前記発光ブロックを発光させ、前記平均階調が前記干渉階調よりも大きく、且つ、前記臨界階調よりも小さな場合には前記固有輝度に応じて値が変わる輝度で前記発光ブロックを発光させることを特徴とする請求項１８に記載の光源モジュールの駆動方法
【請求項２１】
前記臨界階調を決めた後に、
前記臨界階調以下の階調値のうち少なくとも一つの階調を含む複数の可変階調群と、前記可変階調群のそれぞれに対応する複数の可変輝度値が記憶されている可変ルックアップテーブルとを用いて前記平均階調に相当する輝度値を調整された固有輝度値として抽出することをさらに含み、
前記固有輝度は、少なくとも一つの階調を含む複数の固有階調群と、前記固有階調群のそれぞれに対応する複数の輝度値が記憶されている固有ルックアップテーブルとを用いて算出し、
前記可変階調群内の階調数が前記固有階調群内の階調数よりも小さいことを特徴とする請求項１７に記載の光源モジュールの駆動方法。
【請求項２２】
前記固有輝度に応じて値が変わる輝度は、前記干渉輝度に前記調整された固有輝度が加えられた輝度であることを特徴とする請求項２１に記載の光源モジュールの駆動方法。
【請求項２３】
画像を表示するパネル部が複数の表示領域に分割された表示パネルと、
複数の表示領域にそれぞれ対応する複数の光源ブロックを有し、ディミング制御信号に基づき複数の光源ブロックの出力輝度を調節する光源部と、
前記表示領域のそれぞれの平均階調と固有輝度とを決め、前記固有輝度を用いてある表示領域の臨界階調を算出し、全階調を前記臨界階調を境界として第１の階調区間と第２の階調区間とに分けて、前記ある表示領域の平均階調が前記第１の階調区間に位置する場合に値が一定な輝度を前記ディミング制御信号として出力し、前記平均階調が前記第２の階調区間に位置する場合には固有輝度値に応じて変わる輝度を前記ディミング制御信号として出力するディミング制御部と、
を備えることを特徴とする表示装置。
【請求項２４】
前記ディミング制御部は、ＩＣチップ状に作製された上で、前記光源部に実装されるか、前記表示パネルに実装されるか、あるいは、前記光源部に電気的に接続された基板の上に実装されることを特徴とする請求項２３に記載の表示装置。